(57)【特許請求の範囲】
【請求項１】
複数の刺繍模様の模様データを記憶した模様データ記憶手段に基づいて、刺繍模様に関する情報を表示するディスプレイを含む表示手段を備えた縫製装置において、
縫製に供する為に選択した刺繍模様を表示手段のディスプレイに表示する際に、ディスプレイの画面に模様表示領域を設け、その模様表示領域を第１区画とこれよりも小さい第２区画とに区分し、第１区画に現時点における縫製対象の色別模様部とその糸色情報とを表示させるとともに第２区画に次の縫製対象の色別模様部の少なくとも糸色情報を表示させる模様部表示制御手段を備えたことを特徴とする縫製装置。
【請求項２】
前記模様表示領域は、ディスプレイの画面の半分以上の大きさを占めることを特徴とする請求項１に記載の縫製装置。
【請求項３】
前記模様部表示制御手段は、第２区画に次の縫製対象の色別模様部を部分的に表示させることを特徴とする請求項１または２に記載の縫製装置。
【請求項４】
前記模様部表示制御手段は、第１，第２区画の表示内容を後続の縫製対象の色別模様部の方へ進めたり戻したりする画面切換え手段を有することを特徴とする請求項１〜３の何れか１項に記載の縫製装置。
【請求項５】
前記刺繍模様を加工布に形成する縫製手段と、その縫製手段を駆動制御する縫製制御手段とを備え、前記縫製装置の前面に前記表示手段のディスプレイが配置されていることを特徴とする請求項１〜４の何れか１項に記載の縫製装置。
【請求項６】
前記模様部表示制御手段は、刺繍模様の縫製実行中においては、第１区画の糸色情報の表示を中止させることをことを特徴とする請求項１〜５の何れか１項に記載の縫製装置。
【発明の詳細な説明】
【０００１】
【発明の属する技術分野】
本発明は、縫製装置に関し、特に刺繍模様に含まれる複数の色別模様部のうちの現時点における縫製対象の色別模様部と、次の縫製対象の色別模様部の少なくとも糸色情報とを、ディスプレイに設けた所定の模様表示領域に表示するようにしたものに関する。
【０００２】
【従来の技術】
従来、縫製装置として、家庭用の電子制御式刺繍ミシンは、上下駆動される縫針とこの縫針と協働する糸輪捕捉器とを含む縫製機構と、加工布が着脱自在に取付けられる刺繍枠を直交する２方向へ独立に移動駆動する駆動機構と、「乗り物」、「花」、「動物」などの複数種類の刺繍模様の模様データを格納した模様データメモリと、ディスプレイ及び操作パネル等を有し、オペレータが操作パネル等を操作し、所望の刺繍模様をディスプレイに表示させて選択してから刺繍縫製を実行する。その結果、刺繍模様の模様データに基づいて駆動機構が制御され、駆動機構と縫製機構との協働により、刺繍枠に装着された加工布に所望の刺繍模様が複数色の刺繍糸によりカラフルに形成される。
【０００３】
ところで、複数の糸色によるカラフルな刺繍模様を選択したときには、複数の色別模様と糸色名とを対応づけて縫い順にディスプレイに表示するようにして、刺繍模様の模様部の構成や糸色数などが予め分かるようになっている。
例えば、特開平７−３９６６３号公報には、刺繍ミシンのアーム部の前面に大型の液晶ディスプレイを設け、縫製対象の刺繍模様をディスプレイを介して選択したときには、そのディスプレイの任意表示領域を略マトリックス状に複数の模様表示区画に区分し、刺繍模様と、その刺繍模様に含まれる複数の色別模様部とその糸色名とを対応させた色別模様情報とを、模様表示区画毎に表示させるようにした刺繍ミシンの模様選択装置が記載されている。
【０００４】
【発明が解決しようとする課題】
前述したように、特開平７−３９６６３号公報に記載の刺繍ミシンの模様選択装置においては、選択した縫製対象の刺繍模様について、その刺繍模様に含まれる複数の色別模様部の全てを糸色名を対応づけて夫々専用の模様表示区画毎に表示させるようにしているので、大型の液晶ディスプレイを必要とし、刺繍ミシンが大型化するとともに、コスト高になるという問題がある。そこで、小型の液晶ディスプレイを設けることも考えられるが、各模様表示区画が小さくなり、各色別模様部や糸色名が小さく表示されて見え難くなり、判読不可能になるという問題がある。
本発明の目的は、縫製対象の刺繍模様について、小型のディスプレイでも、現時点の縫製対象の色別模様部と、次の縫製対象の色別模様部の糸色情報とを、大きく且つ見易く表示させることである。
【０００５】
【課題を解決するための手段】
請求項１の縫製装置は、複数の刺繍模様の模様データを記憶した模様データ記憶手段に基づいて、刺繍模様に関する情報を表示するディスプレイを含む表示手段を備えた縫製装置において、縫製に供する為に選択した刺繍模様を表示手段のディスプレイに表示する際に、ディスプレイの画面に模様表示領域を設け、その模様表示領域を第１区画とこれよりも小さい第２区画とに区分し、第１区画に現時点における縫製対象の色別模様部とその糸色情報とを表示させるとともに第２区画に次の縫製対象の色別模様部の少なくとも糸色情報を表示させる模様部表示制御手段を備えたことを特徴とするものである。ここで、模様データ記憶手段は、ミシンの制御装置内に固定的に設けられたものでもよく、またミシンに着脱可能に設けられたものでもよい。
【０００６】
縫製に供する刺繍模様が選択されたときには、模様部表示制御手段は、ディスプレイの画面に模様表示領域を設けるとともに、その模様表示領域を第１区画と、これよりも小さい第２区画とに区分し、模様データ記憶手段からデータを受けて、第１区画には、現時点における縫製対象の色別模様部とその糸色情報とを表示させる一方、第２区画には、次の縫製対象の色別模様部の少なくとも糸色情報を表示させる。
【０００７】
請求項２の縫製装置は、請求項１の発明において、前記模様表示領域は、ディスプレイの画面の半分以上の大きさを占めることを特徴とするものである。
この場合には、模様表示領域は、ディスプレイの画面の半分以上の大きさを占めるので、ディスプレイが小型であっても模様表示領域を大きくでき、同時に第１区画や第２区画も大きくできることから、色別模様部や糸色情報を大きく表示できる。その他、請求項１と同様の作用を奏する。
【０００８】
請求項３の縫製装置は、請求項１または２の発明において、前記模様部表示制御手段は、第２区画に次の縫製対象の色別模様部を部分的に表示させることを特徴とするものである。
この場合には、第２区画には、次の縫製対象の色別模様部が部分的にでも表示されるので、次の縫製対象の色別模様部を予想することができる。その他、請求項１または２と同様の作用を奏する。
【０００９】
請求項４の縫製装置は、請求項１〜３の何れか１項の発明において、前記模様部表示制御手段は、第１，第２区画の表示内容を後続の縫製対象の色別模様部の方へ進めたり戻したりする画面切換え手段を有することを特徴とするものである。
この場合には、複数の色別模様部からなる刺繍模様について、画面切換え手段により、第１，第２区画に表示される表示内容を、後続の縫製対象の色別模様部の方へ進めたり、逆に、先行する縫製対象の色別模様部の方へ戻したりでき、ディスプレイが小型であっても、刺繍模様を構成する複数の色別模様部やその縫製順序を把握することができる。その他、請求項１〜３の何れか１項と同様の作用を奏する。
【００１０】
請求項５の縫製装置は、請求項１〜４の何れか１項の発明において、前記刺繍模様を加工布に形成する縫製手段と、その縫製手段を駆動制御する縫製制御手段とを備え、前記縫製装置の前面に前記表示手段のディスプレイが配置されていることを特徴とするものである。
この場合は、縫製装置とは別の表示装置を用いることなく、刺繍ミシンなどの縫製装置の前面という限られたスペースにおいて、豊富な情報を提供できる。
【００１１】
請求項６の縫製装置は、請求項１〜５の何れか１項の発明において、前記模様部表示制御手段は、刺繍模様の縫製実行中においては、第１区画の糸色情報の表示を中止させることを特徴とするものである。
この場合、縫製実行中には、第１区画の色別模様部を予め設定された糸色の刺繍糸で縫製しているので、紛らわしい縫製実行中の刺繍糸の糸色表示を中止させることで、次に縫製する縫製対象の糸色だけを明確に表示でき、また表示制御を簡単かできる。その他、請求項１〜５の何れか１項と同様の作用を奏する。
【００１２】
【発明の実施の形態】
以下、本発明の実施形態について図面を参照しながら説明する。
本実施形態は、刺繍装置を着脱可能に装着して種々の刺繍模様の縫製が可能な刺繍装置付き電子制御式刺繍ミシンに本発明を適用した場合の例である。
電子制御式刺繍ミシンＭ（縫製装置に相当する）は、図１に示すように、ミシンベッド部１と、ベッド部１の右端部から立設された脚柱部２と、脚柱部２の上端からベッド部１に対向するように左方へ延びるアーム部３を有する。
【００１３】
ベッド部１には、送り歯を上下動させる送り歯上下動機構（図示略）及び前後動させる送り歯前後動機構（図示略）、下糸ボビンを収容し縫針６と協働する糸輪捕捉器（例えば、水平釜）等が設けられている。脚柱部２には、オプション的に追加される多数の刺繍模様の模様データ（縫製データと模様表示データ）を記録したＲＯＭカード２７を、内部のカード用コネクタ１８（図２参照）に接続する為のカード用スロット２ａが形成されている。
【００１４】
アーム部３には、下端に縫針６を装着した針棒５を上下動させる針棒駆動機構、針棒５を布送り方向と直交する方向に揺動させる針棒揺動機構（図示略）、天秤を針棒５の上下動に調時して上下動させる天秤駆動機構（図示略）等が設けられている。尚、送り歯上下動機構と針棒駆動機構と天秤駆動機構とはミシンモータ１４で駆動され、針棒揺動機構は針棒揺動用ステッピングモータ１５で駆動され、送り歯前後動機構は送り歯駆動用ステッピングモータ１６で駆動される（図２参照）。アーム部３の頭部４には、縫製作業の起動と停止を指令する起動・停止スイッチ１２が設けられている。
【００１５】
アーム部３の前面には、初期画面表示キー７、スクロール（進む）キー８、スクロール（戻る）キー９、更には小型で白黒用の液晶ディスプレイ１０が設けられ、この液晶ディスプレイ１０には、実用模様や刺繍模様等の種々の縫目模様や各種の機能名、更には種々のメッセージ等が表示される。この液晶ディスプレイ１０の前面には、複数の縫目模様や機能を示す機能名の表示位置の各々に対応させて、透明電極からなるタッチキー１１がマトリックス状に設けられている。即ち、所望の実用模様や刺繍模様を選択するとき、また種々の機能を実行させる指示を、これら模様や機能名に対応するタッチキー１１を押圧操作することで、実現できるようになっている。
【００１６】
前記ベッド部１の左端側部分には、通称フリーアームと称されるフリーベッド部が形成され、このフリーベッド部に刺繍装置３０が着脱可能に装着される。
刺繍装置３０は、その本体ケース３０ａと、加工布Ｗを着脱自在に装着する刺繍枠３４ｂと、刺繍枠３４ｂをＹ方向（前後方向）へ駆動するＹ方向駆動機構を内蔵した収容ケース３１と、収容ケース３１とその内部のＹ方向駆動機構をＸ方向（左右方向）へ駆動するＸ方向駆動機構であって本体ケース３０ａ内に収容されたＸ方向駆動機構とを備えており、Ｘ方向駆動機構は第１ステッピングモータ３２で駆動され、Ｙ方向駆動機構は第２ステッピングモータ３３で駆動される（図２参照）。
【００１７】
刺繍装置３０がフリーベッド部に装着されると、第１，第２ステッピングモータ３２，３３が、コネクタ１９を介して刺繍ミシンＭの制御装置２０に電気的に接続され、制御装置２０により第１，第２ステッピングモータ３２，３３が駆動制御され、刺繍枠３４ｂと加工布とをＸ方向とＹ方向とに独立に移動駆動しつつ刺繍縫製できる状態になる。ここで、刺繍装置３０や針棒駆動機構や送り歯駆動機構などで縫製手段が構成されている。
【００１８】
次に、刺繍ミシンＭの制御系について説明する。
図２に示すように、制御装置（縫製制御手段に相当する）２０は、入力インターフェース２１と、ＣＰＵ２３とＲＯＭ２４とＲＡＭ２５とを含むコンピュータと、出力インターフェース２６と、これらを接続するバス２２などで構成されている。
入力インターフェース２１には、起動・停止スイッチ１２、タッチキー１１、初期画面表示キー７とスクロール（進む）キー８とスクロール（戻る）キー９、ミシン主軸の複数の回転位相を検出するタイミング信号発生器１３が夫々接続されている。
【００１９】
一方、出力インターフェース２６には、ミシンモータ１４、針棒揺動用ステッピングモータ１５、送り歯駆動用ステッピングモータ１６、液晶ディスプレイ（ＬＣＤ）１０の為のディスプレイコントローラ（ＬＣＤＣ）１７、刺繍装置３０の第１，第２ステッピングモータ３２，３３が夫々接続されたコネクタ１９等が続されている。前記ＲＯＭカード２７のＲＯＭ２８は、コネクタ１８を介してバス２２に接続されている。
【００２０】
ＲＯＭ２４には、縫製対象の実用模様や刺繍模様を縫製する縫製制御や表示制御の一般的な制御プログラムに加えて、選択した刺繍模様に含まれる複数の色別模様部をスクロール表示させる制御プログラムと、本願特有の後述の模様表示制御の制御プログラム等が予め格納されている。
また、ＲＯＭ２４には、複数の実用模様の各々に関する表示データとその縫製データに加えて、数字やアルファベットの文字模様の各々に関する表示データとその縫製データが格納されるとともに、図３に示すように、比較的使用頻度の高い多数の刺繍模様（第１刺繍模様、第２刺繍模様、第３刺繍模様・・・・・）の模様データが格納され、多数の刺繍模様の模様データは、刺繍模様の種類別にグループ分けし模様番号を付して格納されている。
【００２１】
ところで、ＲＯＭカード２７としては、複数枚分準備されており、これらＲＯＭカード２７のＲＯＭ２８には、比較的使用頻度の低い多数の刺繍模様（第１刺繍模様、第２刺繍模様、第３刺繍模様・・・・・）の模様データ、種々の種類の文字、図形や形象、マーク、キャラクタ（例えば、テレビや映画等に登場する著名な人物、動物、ロボット等）等の刺繍模様の模様データが、刺繍模様の種類別にグループ分けし模様番号を付して、ＲＯＭ２４と同様に記録されている。
【００２２】
即ち、各刺繍模様の模様データは同様の構成なので、第１刺繍模様の模様データについて説明すると、図３に示すように、模様データには、刺繍模様に含まれる複数の色別模様部を表示する為の模様表示データと、刺繍縫製の為の縫製データと、各画面表示に際して付随的な情報を表示する為の付随情報表示データとが区別して格納されている。
第１刺繍模様として、例えば、「パンダ」の模様表示データは、３つの第１〜第３色別模様部のビットデータ（ドットデータ）と、各色別模様部を縫製する刺繍糸の糸色コードとが格納されている。
また、縫製データとしては、例えば「パンダ」のように３色用のときには、第１〜第３色別模様部の３色分の縫製データが格納されている。
【００２３】
前記ＲＡＭ２５には、前記種々の制御に必要なメモリ類（フラグやポインタやカウンタ等のメモリ、レジスタやバッファ等）が設けられている。
次に、制御装置２０で実行される模様表示制御のルーチンについて、図４のフローチャートを参照して説明する。尚、図中符号Ｓｉ（ｉ＝１０，１１，１２・・・）は各ステップを示すものである。
電源の投入によりこの制御が開始されると、先ずディスプレイ１０には、模様の種類（分類）を選択する為の初期画面が表示される（Ｓ10）。
【００２４】
例えば、ディスプレイ１０には図５に示すように、文字模様を選択する模様選択キー１１ａ〜１１ｃ、実用模様を選択する模様選択キー１１ｄ、刺繍模様を選択する模様選択キー１１ｅ、更には装着されたＲＯＭカード２７に記録されている模様を選択する模様選択キー１１ｆを含む初期画面（模様種類選択画面）が表示される。
そして、所望の模様群の種類を、その種類に対応するタッチキー１１を押圧操作することで選択する模様種類選択処理が実行されると（Ｓ11）、その選択された模様群に含まれる多数の模様が所定数ずつ表示される（Ｓ12）。
【００２５】
例えば、模様選択キー１１ｅを操作してＲＯＭ２４に格納されている「刺繍模様群」を選択したときには、図６に示すように、４０個もの動物や乗り物に関する刺繍模様を有する模様群のうちから、最初の刺繍模様「パンダ（１／４０）」と次の刺繍模様「象（２／４０）」とが表示される。ここで、「次ページ」キーを操作することで、順次次の刺繍模様を表示させることができる。
次に、所望の刺繍模様に対応するタッチキー１１を操作することで模様選択処理が実行されたときには（Ｓ13）、その選択された刺繍模様に含まれる色別模様部が模様表示領域１０ａに表示される（Ｓ14）。
【００２６】
例えば、動物「パンダ」を選択したときには、図７に示すように、ディスプレイ１０の下側画面には、その画面の半分以上の大きさを占める模様表示領域１０ａが設けられ、その模様表示領域１０ａは左側の第１区画１０ｂと、その第１区画１０ｂよりも小さい右側の第２区画１０ｃとに区分される。即ち、第２区画１０ｃは後述する複数の機能キー（確認、時間、大／小のキー）が表示されることで小型化されている。そして、第１区画１０ｂには、刺繍模様「パンダ」Ｐに含まれる３つの色別模様部Ｐ１〜Ｐ３のうちの、最初の色別模様部Ｐ１（これが現時点における縫製対象の色別模様部に相当する）が表示されるとともに、第２区画１０ｃには、次の縫製対象の色別模様部Ｐ２が表示される。
【００２７】
次に、ディスプレイ１０の右端部には、「確認」や「時間」などの３つの機能キーが表示される（Ｓ15）。ここで、「確認」キーは刺繍縫製に用いる糸色を確認するキー、「時間」キーは縫製時間を表示させるキー、「大／小」キーは縫製サイズを切換えるキーである。
次に、各第１区画１０ｂと第２区画１０ｃとに夫々糸色名が表示される（Ｓ16）。例えば、図７に示すように、第１区画１０ｂには、第１色別模様部Ｐ１の糸色コードに基づいて「シロ」が表示され、第２区画１０ｃには、第２色別模様部Ｐ２の糸色コードに基づいて「アカ」が表示される。
【００２８】
次に、これら機能キーの何れかが操作されたときには（Ｓ17：Yes 、Ｓ18〜Ｓ19：No）、その操作された機能キーに対応する処理が実行される（Ｓ24）。
ところで、スクロールキー８，９の何れかが操作されたときには（Ｓ17・Ｓ18：Yes ）、スクロール処理が実行される（Ｓ23）。このスクロール処理について簡単に説明すると、スクロール（進む）キー８が操作されたときには、図７に示すように、第２区画１０ｃに表示されていた刺繍模様「パンダ」Ｐの第２色別模様部（足部分）Ｐ２が、図８に示すように、第１区画１０ｂに進めて、つまりスクロールさせて表示されるとともに、いままで表示されていなかった第３色別模様部（輪郭部）Ｐ３が第２区画１０ｃに進めて表示される。
【００２９】
しかし、スクロール（戻る）キー９が操作されたときには、その逆に、第１区画１０ｂに表示されていた第２色別模様部Ｐ２が、図７に示すように、第２区画１０ｃに戻して、つまりスクロールさせて表示されるとともに、いままで表示されていなかった第１色別模様部Ｐ１が第１区画１０ｂに戻して表示される。即ち、第１，第２区画１０ｂ，１０ｃの表示内容が、後続の縫製対象の色別模様部の方へ進めたり戻したりすることで切換え表示される。
【００３０】
次に、模様表示制御において、初期画面表示キー７が操作されたときには（Ｓ17：Yes 、Ｓ18：No、Ｓ19：Yes ）、Ｓ10にリターンして、初期画面が表示される。
一方、刺繍模様が選択されて、刺繍枠３４に加工布がセットされた後、起動・停止スイッチ１２が操作されたときには（Ｓ17：No、Ｓ20：Yes ）、ミシンモータ１４が駆動されるとともに刺繍装置３０が駆動されて、刺繍縫製が実行され、第１区画１０ｂの糸色名表示を中止且つスクロール表示される（Ｓ21）。
【００３１】
即ち、図９に示すように、第１区画１０ｂには、最初の色別模様部Ｐ１が表示されるが、その糸色名「シロ」は表示されず、第２区画１０ｃには、次の縫製対象の色別模様部Ｐ２とその糸色名「クロ」とが表示される。ここで、このＳ21においては、色別模様部Ｐ１〜Ｐ３が順次縫製終了する毎に、第１，第２区画１０ｂ，１０ｃの表示内容が、その都度後続の縫製対象の色別模様部の方へ進めるスクロール表示が実行される。
そして、全ての色別模様部Ｐ１〜Ｐ３を縫製することで、刺繍縫製が終了したときには（Ｓ22：Yes ）、Ｓ10にリターンする。
【００３２】
ここで、模様表示制御や制御装置２０等が模様部表示制御手段に相当し、模様表示制御のＳ23（スクロール処理）などが画面切換え手段に相当する。
次に、前記電子制御式刺繍ミシン１の制御装置２０で実行される模様表示制御の作用・効果について説明する。
【００３３】
縫製に供する為に選択した刺繍模様「パンダ」Ｐをディスプレイ１０に表示する際には、模様表示制御により、ディスプレイ１０の下側画面に模様表示領域１０ａを設け、その模様表示領域１０ａを第１区画１０ｂと  これよりも小さい第２区画１０ｃとに区分し、第１区画１０ｂに現時点における縫製対象の色別模様部Ｐ１とその糸色名「シロ」とを表示させるとともに、第２区画１０ｃに次の縫製対象の色別模様部Ｐ２とその糸色名「クロ」とを表示させるので、第１区画１０ｂの表示情報により、現時点における縫製対象の色別模様情報を明確に把握できるとともに、第２区画１０ｃの表示情報により、次に縫製する色別模様部の刺繍糸を予め準備することができ、更に、次の縫製対象の色別模様部Ｐ２を予想することができる。
【００３４】
また、第２区画１０ｃを第１区画１０ｂよりも小さくした分だけディスプレイ１０を小型化することができる。また、模様表示領域１０ａは、ディスプレイ１０の画面の半分以上の大きさを占めるので、ディスプレイ１０が小型であっても模様表示領域１０ａを大きくでき、同時に第１区画１０ｂや第２区画１０ｃも大きくできることから、色別模様部Ｐ１，Ｐ２や糸色名を大きく表示できる。
また、スクロール（進む）キー８やスクロール（戻る）キー９の操作により、第１，第２区画１０ｂ，１０ｃの表示内容を後続の縫製対象の色別模様部の方へ進めたり戻したりする画面切換えが可能なので、刺繍模様を構成する複数の色別模様部Ｐ１〜Ｐ３について、第１，第２区画１０ｂ，１０ｃを介して後続側に進めたり、逆に先行側に戻したりするスクロール表示により、複数の色別模様部やその縫製順序を把握することができる。
【００３５】
更に、刺繍模様の縫製実行中においては、第１区画１０ｂの糸色名の表示を中止させるので、表示制御を簡単化できる上、縫製している第１区画１０ｂの色別模様部の糸色名に惑わされることなく、次に縫製する縫製対象の糸色名だけを確実に把握することができる。
前記実施形態の変更形態として、第２区画１０ｃに糸色名だけを表示させる場合には、図１０に示すように、糸色名が「クロ（黒）」のように、カタカナと漢字とを組み合わせて表示するなど複雑であっても、その第２区画１０ｃの全体を有効に利用して、明確に表示させることができる。また、糸色名はカタカナやひらかなに限らず、漢字や糸色番号であってもよい。また、第２区画１０ｃを第１区画１０ｂの約半分まで小型化するようにしてもよい。
【００３６】
更に、前記ＲＯＭカード２７の代わりに、磁気ディスクに複数の模様の模様データを格納し、その磁気ディスクを制御装置２０のＦＤＤに着脱自在に装着するように構成することもあるし、その他コンパクトディスクやＣＤ−ＲＯＭ、更には磁気光ディスクを適用することも可能である。前記実施形態に係る模様表示制御は一例を示すものにすぎず、本発明の技術思想を逸脱しない範囲で種々の変更を加えて実施し得る。
【００３７】
【発明の効果】
請求項１の発明によれば、複数の刺繍模様の模様データを記憶した模様データ記憶手段に基づいて、刺繍模様に関する情報を表示するディスプレイを含む表示手段を備えた縫製装置において、模様部表示制御手段を設けたので、第１区画に表示される縫製対象の色別模様部とその糸色情報とで、現時点における縫製対象の色別模様情報を明確に把握できるとともに、第２区画が第１区画よりも小さいが、第２区画に表示される少なくとも糸色情報により、次に縫製する色別模様部の刺繍糸を予め準備することができる。また、第２区画に糸色情報だけを表示させる場合には、糸色名が複雑であっても、その第２区画全体を有効に利用して、明確に表示させることができる。更に、第２区画を第１区画よりも小さくした分だけディスプレイを小型化することができる。
【００３８】
請求項２の発明によれば、請求項１と同様の効果を奏するが、前記模様表示領域は、ディスプレイの画面の半分以上の大きさを占めるので、ディスプレイが小型であっても模様表示領域を大きくでき、同時に第１区画や第２区画も大きくできることから、色別模様部や糸色情報を大きく表示できる。
請求項３の発明によれば、請求項１または２と同様の効果を奏するが、前記模様部表示制御手段は、第２区画に次の縫製対象の色別模様部を部分的に表示させるので、次の縫製対象の色別模様部を予想することができる。
【００３９】
請求項４の発明によれば、請求項１〜３の何れか１項と同様の効果を奏するが、前記模様部表示制御手段は、第１，第２区画の表示内容を後続の縫製対象の色別模様部の方へ進めたり戻したりする画面切換え手段を有するので、刺繍模様を構成する複数の色別模様部について、第１，第２区画を介して後続側に進めたり、逆に先行側に戻したりするスクロール表示により、複数の色別模様部やその縫製順序を把握することができる。
【００４０】
請求項５の発明によれば、請求項１〜４の何れか１項と同様の効果を奏するが、前記刺繍模様を加工布に形成する縫製手段と、その縫製手段を駆動制御する縫製制御手段とを備え、前記縫製装置の前面に前記表示手段のディスプレイが配置されているので、縫製装置とは別の表示装置を用いることなく、刺繍ミシンなどの縫製装置の前面という限られたスペースにおいて、豊富な情報を提供することができる。
【００４１】
請求項６の発明によれば、請求項１〜５の何れか１項と同様の効果を奏するが、前記模様部表示制御手段は、刺繍模様の縫製実行中においては、第１区画の糸色情報の表示を中止させるので、表示制御を簡単化できる上、縫製している第１区画の色別模様部の糸色情報に惑わされることなく、次に縫製する縫製対象の糸色名だけを確実に把握することができる。
【図面の簡単な説明】
【図１】本発明の実施形態に係る電子制御式刺繍ミシンの斜視図である。
【図２】前記刺繍ミシンの制御系のブロック図である。
【図３】ＲＯＭやＲＯＭカードに記憶されている各種のデータ構造の説明図表である。
【図４】模様表示制御のルーチンのフローチャートである。
【図５】初期画面の表示例を説明する説明図である。
【図６】刺繍模様群「動物」を選択した表示例を説明する説明図である。
【図７】刺繍模様「パンダ」の色別模様部の表示例を説明する説明図である。
【図８】色別模様部のスクロール表示を説明する説明図である。
【図９】刺繍縫製時における図７相当図である。
【図１０】変更形態に係る図７相当図である。
【符号の説明】
Ｍ    電子制御式刺繍ミシン
６    縫針
８    スクロールキー（進む）
９    スクロールキー（戻る）
１０    液晶ディスプレイ
１０ａ    模様表示領域
１０ｂ    第１区画
１０ｃ    第２区画
１７    ＬＣＤＣ
２０    制御装置
２４    ＲＯＭ
３０    刺繍装置
【図１】
0003959657.tif 000002
【図２】
0003959657.tif 000003
【図３】
0003959657.tif 000004
【図４】
0003959657.tif 000005
【図５】
0003959657.tif 000006
【図６】
0003959657.tif 000007
【図７】
0003959657.tif 000008
【図８】
0003959657.tif 000009
【図９】
0003959657.tif 000010
【図１０】
0003959657.tif 000011